(57)【要約】【課題】多くの手間や費用をかけず、かつ、通常の運用に影響を与えない情報量で親装置から子装置に新たな単語に関する情報を送信することができる単語遠隔登録システムを提供する。【解決手段】親装置１０と子装置２０とを備える。親装置１０は、親記憶手段１１と親送信手段１２とを含む。親記憶手段１１には、テキストデータと音声の情報とが対応付けられた単語登録情報が記憶される。親送信手段１２は、単語登録情報を子装置２０に送信する。子装置２０は、子記憶手段２１と送信要求手段２２とを含む。子記憶手段２１には、親送信手段１２が送信した単語登録情報が記憶される。送信要求手段２２は、子記憶手段２１の記憶内容と親記憶手段１１の記憶内容とが合致しない場合に、差分の単語登録情報の送信を要求する。そして、親装置１０の親送信手段１２は、要求に応じて単語登録情報を子装置２０に送信する。【選択図】      図３
2015165624.tif 000002
【特許請求の範囲】
【請求項１】
単語のテキストデータと音声の情報とが入力される親装置と、
前記親装置に入力された前記テキストデータを音声に変換する子装置とを備え、
前記親装置は、
前記テキストデータと前記音声の情報とが対応付けられた単語登録情報が記憶される親記憶手段と、
前記単語登録情報を前記子装置に送信する親送信手段とを含み、
前記子装置は、
前記親送信手段が送信した単語登録情報が記憶される子記憶手段と、
前記子記憶手段の記憶内容と前記親記憶手段の記憶内容とが合致しない場合に、前記親装置に、それら記憶内容の差分の単語登録情報の送信を要求する送信要求手段とを含み、
前記親装置の前記親送信手段は、前記子装置の前記送信要求手段の要求に応じて前記単語登録情報を前記子装置に送信する
ことを特徴とする単語遠隔登録システム。
【請求項２】
単語登録情報は、各単語を識別し、前記各単語の前記テキストデータと前記音声の情報とにそれぞれ対応付けられた識別子を含み、
前記親送信手段は、前記親記憶手段に記憶されている単語登録情報を示す識別子を前記子装置に送信し、
前記送信要求手段は、前記子記憶手段に記憶されている前記単語登録情報に含まれる識別子と前記親送信手段が送信した識別子とが合致しない場合に、前記親装置に、前記識別子に対応するテキストデータと前記音声の情報とを含む単語登録情報の送信を要求する
請求項１に記載の単語遠隔登録システム。
【請求項３】
前記親記憶手段に記憶されている単語登録情報に含まれる識別子は、前記単語登録情報が記憶された順序に応じた数字であり、
前記親送信手段は、最新に登録された単語登録情報を示す識別子を前記子装置に送信し、
前記送信要求手段は、前記子記憶手段に記憶されている単語登録情報の識別子における最大値と、前記親送信手段によって送信された識別子の数字とを比較して、前記識別子の数字以下であって前記最大値を超える各数字を識別子とする各単語登録情報の送信を要求する
請求項２に記載の単語遠隔登録システム。
【請求項４】
前記親送信手段は、前記親記憶手段に記憶されている単語登録情報を示す識別子を制御チャネルで無線基地局に送信させる
請求項２または請求項３に記載の単語遠隔登録システム。
【請求項５】
前記送信要求手段は、所定のタイミングで単語登録情報の送信を要求する
請求項１から請求項４のうちいずれかに記載の単語遠隔登録システム。
【請求項６】
複数の子装置を備え、
各子装置の送信要求手段が単語登録情報の送信を要求するタイミングは互いに異なる
請求項５に記載の単語遠隔登録システム。
【請求項７】
単語のテキストデータと音声の情報とが対応付けられた単語登録情報が記憶される記憶手段と、
前記単語登録情報を提供先の装置に送信する送信手段とを含み、
前記送信手段は、前記提供先の装置の要求に応じた前記単語登録情報を送信する
ことを特徴とする単語情報提供装置。
【請求項８】
単語のテキストデータと音声の情報とが対応付けられた単語登録情報が記憶される記憶手段と、
前記記憶手段の記憶内容と単語登録情報の提供元装置の記憶内容とが合致しない場合に、前記提供元装置に、それら記憶内容の差分の単語登録情報の送信を要求する送信要求手段とを含む
ことを特徴とする単語遠隔登録装置。
【請求項９】
テキストデータと音声の情報とが対応付けられて親装置に登録された単語登録情報と、子装置に記憶されている単語登録情報とが合致しない場合に、前記子装置が、前記親装置に、それら記憶内容の差分の単語登録情報の送信を要求する送信要求ステップと、
前記送信要求ステップにおける要求に応じて、前記親装置が、前記子装置に、前記単語登録情報を送信する送信ステップとを含む
ことを特徴とする単語遠隔登録方法。
【発明の詳細な説明】
【技術分野】
【０００１】
本発明は、親装置で行われた単語登録を当該親装置から遠隔地にある子装置に反映させることができる単語遠隔登録システム、単語情報提供装置、単語遠隔登録装置および単語遠隔登録方法に関する。
【背景技術】
【０００２】
親装置と複数の子装置とが互いに遠く離隔して設置され、親装置が子装置にテキストデータを送信し、各子装置が受信したテキストデータをそれぞれ音声に変換して放送する放送システムがある（例えば、特許文献１参照）。
【０００３】
特許文献１に記載されている放送システムでは、親装置が、入力されたテキストデータを複数の子装置のそれぞれに無線通信で送信し、それぞれの子装置が、受信したテキストデータを音声に変換して、変換後の音声を放送する。そして、子装置におけるテキストデータから音声への変換には音声合成装置が用いられる。音声合成装置は、テキストデータと合成音声とが対応付けられた変換テーブルに基づいて、テキストデータを合成音声に変換している。
【先行技術文献】
【特許文献】
【０００４】
【特許文献１】特開２００６−２７９２５０号公報
【発明の概要】
【発明が解決しようとする課題】
【０００５】
特許文献１に記載されている放送システムの子装置に新たな単語のテキストデータに基づく合成音声を出力させる場合に、変換テーブルにおいて、新たな単語のテキストデータと新たな単語の音声の情報とを対応付ける更新を行う必要がある。そして、管理者が各子装置を往訪して当該変換テーブルの更新の操作を行うと、多くの手間と費用とがかかるという問題がある。
【０００６】
また、親装置に単語の情報が登録されたときに、登録された単語の情報を子装置に一斉送信して登録するように構成することも考えられる。しかし、そのような構成では、保守作業中や故障中等の何らかの理由で当該情報を受信できなかった子装置には、その後も当該情報が登録されず、子装置に登録漏れが生じるという問題がある。
【０００７】
子装置に登録漏れが生じるという問題を回避するために、各子装置において登録されていない単語の情報を全ての子装置に応じて順次送信するように構成することも考えられる。しかし、そのように構成した場合には、親装置が送信する情報量が多くなり、通信時間が長くなるので、親装置および子装置の通常の運用に影響を与える可能性がある。
【０００８】
そこで、本発明は、多くの手間と費用とをかけず、かつ、通常の運用に影響を与えない情報量で親装置から子装置に新たな単語に関する情報を送信することができる単語遠隔登録システム、単語情報提供装置、単語遠隔登録装置および単語遠隔登録方法を提供することを目的とする。
【課題を解決するための手段】
【０００９】
本発明による単語遠隔登録システムは、単語のテキストデータと音声の情報とが入力される親装置と、親装置に入力されたテキストデータを音声に変換する子装置とを備え、親装置は、テキストデータと音声の情報とが対応付けられた単語登録情報が記憶される親記憶手段と、単語登録情報を子装置に送信する親送信手段とを含み、子装置は、親送信手段が送信した単語登録情報が記憶される子記憶手段と、子記憶手段の記憶内容と親記憶手段の記憶内容とが合致しない場合に、親装置に、それら記憶内容の差分の単語登録情報の送信を要求する送信要求手段とを含み、親装置の親送信手段は、子装置の送信要求手段の要求に応じて単語登録情報を子装置に送信することを特徴とする。
【００１０】
本発明による単語情報提供装置は、単語のテキストデータと音声の情報とが対応付けられた単語登録情報が記憶される記憶手段と、単語登録情報を提供先の装置に送信する送信手段とを含み、送信手段は、提供先の装置の要求に応じた単語登録情報を送信することを特徴とする。
【００１１】
本発明による単語遠隔登録装置は、単語のテキストデータと音声の情報とが対応付けられた単語登録情報が記憶される記憶手段と、記憶手段の記憶内容と単語登録情報の提供元装置の記憶内容とが合致しない場合に、提供元装置に、それら記憶内容の差分の単語登録情報の送信を要求する送信要求手段とを含むことを特徴とする。
【００１２】
本発明による単語遠隔登録方法は、テキストデータと音声の情報とが対応付けられて親装置に登録された単語登録情報と、子装置に記憶されている単語登録情報とが合致しない場合に、子装置が、親装置に、それら記憶内容の差分の単語登録情報の送信を要求する送信要求ステップと、送信要求ステップにおける要求に応じて、親装置が、子装置に、単語登録情報を送信する送信ステップとを含むことを特徴とする。
【発明の効果】
【００１３】
本発明によれば、多くの手間と費用とをかけず、かつ、通常の運用に影響を与えない情報量で親装置から子装置に新たな単語に関する情報を送信することができる。
【図面の簡単な説明】
【００１４】
【図１】本発明の第１の実施形態の単語遠隔登録システムの構成例を示すブロック図である。
【図２】本発明の第１の実施形態の単語遠隔登録システムの動作を示すシーケンス図である。
【図３】本発明の第２の実施形態の単語遠隔登録システムの構成例を示すブロック図である。
【図４】本発明の第３の実施形態の単語情報提供装置の構成例を示すブロック図である。
【図５】本発明の第４の実施形態の単語遠隔登録装置の構成例を示すブロック図である。
【発明を実施するための形態】
【００１５】
実施形態１．
本発明の第１の実施形態の単語遠隔登録システムの構成について、図面を参照して説明する。図１は、本発明の第１の実施形態の単語遠隔登録システムの構成例を示すブロック図である。図１に示すように、本発明の第１の実施形態の単語遠隔登録システムは、親局１００に設置された親装置１１０と、子局２００に設置された子装置２１０とを含む。なお、子局２００は親局１００から遠く離隔して設置されている。
【００１６】
親装置１１０は、管理者によって操作される入力部１１１と、テキストデータに基づいて合成音声を生成する音声合成機能を有する制御部１１２と、情報を記憶する記憶部１１３とを含む。また、親局１００には、親装置１１０に接続され、無線通信で子装置２１０と情報を送受信するための無線基地局１２０が設置されている。
【００１７】
子装置２１０は、無線基地局１２０と情報を送受信する無線部２１１、情報を記憶する記憶部２１２、および各部を制御する制御部２１３を含む。制御部２１３は、無線部２１１が無線基地局１２０を介して親装置１１０から受信したテキストデータに基づいて合成音声を生成する音声合成部２１４を含む。音声合成部２１４は、記憶部２１２に記憶されている単語登録情報に基づいて、親装置１１０から受信したテキストデータに応じた合成音声を生成する。なお、子装置２１０において、制御部２１３には、各部に電力を供給する電力供給部２１５、および音声合成部２１４が生成した合成音声を増幅する拡声部２１６が接続されている。さらに、拡声部２１６には、当該拡声部２１６が増幅した合成音声を出力するスピーカ２１７が接続されている。
【００１８】
制御部１１２，２１３は、例えば、ＣＰＵ（Ｃｅｎｔｒａｌ  Ｐｒｏｃｅｓｓｉｎｇ  Ｕｎｉｔ）によって実現される。記憶部１１３，２１２は、例えば、メモリやハードディスクによって実現される。
【００１９】
単語登録情報について説明する。単語登録情報とは、単語のテキストデータと当該単語の音声合成に必要な情報と当該単語を他の単語から識別する識別子である単語登録番号とを含む情報である。単語の音声合成に必要な情報とは、例えば、書き文字、読み仮名、アクセント、カテゴリ等である。親装置１１０の記憶部１１３、および子装置２１０の記憶部２１２には、単語登録情報が各単語ごとにそれぞれ記憶されている。単語登録番号は、例えば、親装置１１０の記憶部１１３に当該単語が登録された順序に応じて設定される。
【００２０】
次に、本発明の実施形態の単語遠隔登録システムの動作について説明する。図２は、本発明の実施形態の単語遠隔登録システムの動作を示すシーケンス図である。図２には、親装置１１０が、子装置２１０ａ，２１０ｂとそれぞれ情報を送受信する例が示されている。なお、子装置２１０ａ，２１０ｂは、図１に示す子装置２１０とそれぞれ同様な構成であるとする。また、子装置２１０ａ，２１０ｂは、互いに異なる子局にそれぞれ設置されている。
【００２１】
図２に示すように、無線基地局１２０は、親装置１１０の制御に従って、子装置２１０ａ，２１０ｂのそれぞれに定期的に制御チャネルを送信している（ステップＳ１０１，Ｓ１０２）。制御チャネルは親装置１１０が子装置２１０ａ，２１０ｂに通知する情報である報知情報を含む。報知情報の一部には、親装置１１０の記憶部１１３に最新に登録された単語登録情報の単語登録番号が含まれている。
【００２２】
したがって、例えば、親装置１１０に単語が５０語登録されている場合には、単語登録番号「５０」を含む制御チャネルが送信されていることになる。そして、親装置１１０の記憶部１１３に単語が１語追加登録されて登録されている単語が５１語になると、報知情報に含まれる単語登録番号も従前の番号に１が加えられて「５１」に設定される。
【００２３】
親装置１１０において、入力部１１１が管理者によって操作されて合成音声で用いられる新たな単語のテキストデータと当該単語の音声合成に必要な情報とが入力されて登録操作がなされると、制御部１１２は、以下の単語登録処理を行う（ステップＳ１０３）。すなわち、制御部１１２は、入力された１つの新たな単語のテキストデータと当該単語の音声合成に必要な情報とを、当該単語を他の単語から識別する単語登録番号と対応付けて記憶部１１３に記憶させる。当該単語を他の単語から識別する単語登録番号は、例えば、「５１」であるとする。そして、親装置１１０の制御部１１２は、無線基地局１２０が送信する制御チャネルの報知情報における単語登録番号を「５０」から「５１」に更新する。
【００２４】
親装置１１０の制御部１１２は、ステップＳ１０３の処理で「５０」から「５１」に更新された単語登録番号を無線基地局１２０を介して子装置２１０ａ，２１０ｂに送信する（ステップＳ１０４，Ｓ１０５，Ｓ１０６）。具体的には、制御部１１２は、ステップＳ１０３の処理で「５０」から「５１」に更新された単語登録番号を無線基地局１２０に送信する（ステップＳ１０４）。無線基地局１２０は、ステップＳ１０３の処理で「５０」から「５１」に更新されて、ステップＳ１０４の処理で送信された単語登録番号を報知情報に含む制御チャネルを子装置２１０ａ，２１０ｂに送信する（ステップＳ１０５，Ｓ１０６）。
【００２５】
子装置２１０ａ，２１０ｂの制御部２１３は、ステップＳ１０５，Ｓ１０６の処理で送信された制御チャネルを無線部２１１が受信すると、以下の処理を行う。すなわち、制御部２１３は、当該制御チャネルの報知情報に含まれている単語登録番号「５１」に基づいて、親装置１１０における単語登録状況と子装置２１０ａ，２１０ｂにおける単語登録状況とが合致するか否かの比較を行う（ステップＳ１０７，Ｓ１０８）。
【００２６】
具体的には、制御チャネルの報知情報に単語登録番号「５１」が含まれていた場合に、子装置２１０ａ，２１０ｂの制御部２１３は、当該単語登録番号「５１」と、記憶部２１２に記憶されている単語登録情報に含まれている単語登録番号の最大値とを比較する。そして、制御部２１３は、それらが互いに合致しないと判断した場合に、当該単語登録番号「５１」以下の数字であって、当該最大値を超える数字を単語登録番号とする単語登録情報が記憶部２１２に記憶されていないと判断して、以下の処理を行う。すなわち、制御部２１３は、子装置２１０ａ，２１０ｂの所定の単語登録時刻が到来したときに、無線部２１１に親装置１１０へ単語登録情報の送信要求を送信させる（ステップＳ１０９）。
【００２７】
例えば、子装置２１０ａの記憶部２１２に記憶されている単語登録情報に含まれている単語登録番号の最大値が「５０」であった場合に、制御部２１３は、単語登録番号「５１」の単語登録情報が記憶部２１２に記憶されていないと判断する。そして、制御部２１３は、子装置２１０ａの所定の単語登録時刻が到来したときに、記憶部２１２に記憶されていないと判断した単語登録番号「５１」を含む送信要求を無線部２１１にステップＳ１０９の処理で送信させる。
【００２８】
親装置１１０の制御部１１２は、ステップＳ１０９の処理で送信された単語登録情報の送信要求を無線基地局１２０を介して受信する（ステップＳ１１０）。そして、親装置１１０の制御部１１２は、受信した単語登録情報の送信要求に含まれている単語登録番号「５１」に対応するテキストデータと音声合成に必要な情報とを抽出する（ステップＳ１１１）。そして、制御部１１２は、抽出した情報と単語登録番号「５１」とを含む単語登録情報を無線基地局１２０を介して子装置２１０ａに送信する（ステップＳ１１２，１１３）。
【００２９】
子装置２１０ａの制御部２１３は、ステップＳ１１３の処理で送信された単語登録情報を無線部２１１が受信すると、受信した単語登録情報を記憶部２１２に記憶させる（ステップＳ１１４）。
【００３０】
また、子装置２１０ｂの制御部２１３は、記憶部２１２に記憶されている単語登録情報に含まれている単語登録番号の最大値が「４９」であった場合に、制御部２１３は、以下の判断をする。すなわち、制御部２１３は、単語登録番号「５０」の単語登録情報、および単語登録番号「５１」の単語登録情報が記憶部２１２に記憶されていないと判断する。そして、制御部２１３は、子装置２１０ｂの所定の単語登録時刻が到来したときに、無線部２１１に親装置１１０へ単語登録情報の送信要求を送信させる（ステップＳ１１５）。なお、ステップＳ１１５の処理で送信される送信要求には、制御部２１３によって記憶部２１２に記憶されていないと判断された単語登録番号「５０」，「５１」が含まれている。
【００３１】
親装置１１０の制御部１１２は、ステップＳ１１５の処理で送信された単語登録情報の送信要求を無線基地局１２０を介して受信する（ステップＳ１１６）。そして、親装置１１０の制御部１１２は、受信した単語登録情報の送信要求に含まれている単語登録番号「５０」，「５１」に対応するテキストデータと音声合成に必要な情報とをそれぞれ抽出する（ステップＳ１１７）。そして、制御部１１２は、ステップＳ１１７の処理結果に応じた単語登録情報を無線基地局１２０を介して子装置２００ｂに送信する（ステップＳ１１８，１１９）。ステップＳ１１７の処理結果に応じた単語登録情報とは、単語登録番号「５０」に対応して抽出した情報と単語登録番号「５０」とを含む単語登録情報、および単語登録番号「５１」に対応して抽出した情報と単語登録番号「５１」とを含む単語登録情報とである。
【００３２】
子装置２１０ｂの制御部２１３は、ステップＳ１１９の処理で送信された単語登録情報を無線部２１１が受信すると、受信した単語登録情報を記憶部２１２に記憶させる（ステップＳ１２０）。
【００３３】
本実施形態によれば、親装置１１０の記憶部１１３に記憶されている単語登録情報の単語登録番号が子装置２１０に通知される。そして、子装置２１０は、通知された単語登録番号に基づいて、未登録の単語登録情報の送信を親装置１１０に要求し、要求に応じて送信された単語登録情報を取得することができる。したがって、子装置２１０の管理者が当該子装置２１０を往訪することなく、当該単語登録情報を記憶部２１２に記憶させることができる。よって、親装置１１０で行われた単語登録を、多くの手間と費用とをかけずに、当該親装置１１０から遠隔地にある子装置２１０に反映させることができる。
【００３４】
また、本実施形態によれば、親装置１１０は、当該親装置１１０の記憶部１１３に記憶されている全ての単語登録情報のうち、子装置２１０の記憶部２１２に記憶されていない単語登録情報のみを子装置２１０に送信する。したがって、親装置１１０の記憶部１１３に記憶されている全ての単語登録情報を子装置２１０に送信する場合に比べて、親装置１１０が子装置２１０に送信する情報量の増大を抑制することができる。よって、親装置１１０および子装置２１０における通常の運用への影響を良好に防ぐことができる。また、子装置２１０が保守作業中や故障中等の何らかの理由で運用休止されていた場合であっても、子装置２１０の記憶部２１２に記憶されていない単語登録情報は親装置１１０から後に送信されて記憶部２１２に記憶される。したがって、子装置２１０の記憶部２１２における登録漏れを良好に防止することができる。
【００３５】
本実施形態によれば、単語登録番号は制御チャネルに含まれて子装置２１０に送信されるので、単語登録番号を送信することによる通信負荷の増大を良好に抑制することができる。
【００３６】
そして、本実施形態によれば、子装置２１０の記憶部２１２に、親装置１１０の記憶部１１３の記憶内容が遅滞なく反映されるので、子装置２１０の音声合成部２１４によって生成された合成音声において読み誤りの発生を良好に防止することができる。
【００３７】
実施形態２．
次に、本発明の第２の実施形態の単語遠隔登録システムについて、図面を参照して説明する。図３は、本発明の第２の実施形態の単語遠隔登録システムの構成例を示すブロック図である。図３に示すように、本発明の第２の実施形態の単語遠隔登録システムは、単語のテキストデータと音声の情報とが入力される親装置１０と、親装置１０に入力されたテキストデータを音声に変換する子装置２０とを備える。
【００３８】
そして、親装置１０は、親記憶手段（図１に示す記憶部１１３に相当）１１と親送信手段（図１に示す制御部１１２に相当）１２とを含む。親記憶手段１１には、テキストデータと音声の情報とが対応付けられた単語登録情報が記憶される。親送信手段１２は、単語登録情報を子装置２０に送信する。
【００３９】
子装置２０は、子記憶手段（図１に示す記憶部２１２に相当）２１と送信要求手段（図１に示す制御部２１３および無線部２１１に相当）２２とを含む。子記憶手段２１には、親送信手段１２が送信した単語登録情報が記憶される。送信要求手段２２は、子記憶手段２１の記憶内容と親記憶手段１１の記憶内容とが合致しない場合に、親装置１０に、それら記憶内容の差分の単語登録情報の送信を要求する。
【００４０】
そして、親装置１０の親送信手段１２は、子装置２０の送信要求手段２２の要求に応じて単語登録情報を子装置２０に送信する。
【００４１】
本実施形態によれば、多くの手間と費用とをかけず、かつ、通常の運用に影響を与えない情報量で親装置１０から子装置２０に新たな単語に関する情報を送信することができる。
【００４２】
実施形態３．
次に、本発明の第３の実施形態の単語情報提供装置３０について図面を参照して説明する。図４は、本発明の第３の実施形態の単語情報提供装置３０の構成例を示すブロック図である。図４に示すように、本発明の第３の実施形態の単語情報提供装置３０は、記憶手段（図１に示す記憶部１１３に相当）３１と、送信手段（図１に示す制御部１１２に相当）３２とを含む。記憶手段３１には、単語のテキストデータと音声の情報とが対応付けられた単語登録情報が記憶される。送信手段３２は、提供先の装置の要求に応じた単語登録情報を送信する。
【００４３】
本実施形態によれば、多くの手間と費用とをかけず、かつ、通常の運用に影響を与えない情報量で単語情報提供装置３０が提供先の装置に新たな単語に関する情報を送信することができる。
【００４４】
実施形態４．
次に、本発明の第４の実施形態の単語遠隔登録装置４０について図面を参照して説明する。図５は、本発明の第４の実施形態の単語遠隔登録装置４０の構成例を示すブロック図である。図５に示すように、本発明の第４の実施形態の単語遠隔登録装置４０は、記憶手段（図１に示す記憶部２１２に相当）４１と、送信要求手段（図１に示す制御部２１３および無線部２１１に相当）４２とを含む。記憶手段４１には、単語のテキストデータと音声の情報とが対応付けられた単語登録情報が記憶される。送信要求手段４２は、記憶手段４１の記憶内容と単語登録情報の提供元装置の記憶内容とが合致しない場合に、提供元装置に、それら記憶内容の差分の単語登録情報の送信を要求する。
【００４５】
本実施形態によれば、多くの手間と費用とをかけず、かつ、通常の運用に影響を与えない情報量で単語登録情報の提供元装置から新たな単語に関する情報の提供を受けることができる。
【符号の説明】
【００４６】
１０、１１０    親装置
１１    親記憶手段
１２    親送信手段
２０、２１０    子装置
２１    子記憶手段
２２、４２    送信要求手段
３０    単語情報提供装置
３１、４１    記憶手段
３２    送信手段
４０    単語遠隔登録装置
１００    親局
１１１    入力部
１１２    制御部
１１３    記憶部
１２０    無線基地局
２００    子局
２１１    無線部
２１２    記憶部
２１３    制御部
２１４    音声合成部
２１５    電力供給部
２１６    拡声部
【図１】
2015165624.tif 000003
【図２】
2015165624.tif 000004
【図３】
2015165624.tif 000005
【図４】
2015165624.tif 000006
【図５】
2015165624.tif 000007